(57)【要約】      （修正有）【課題】箏柱の位置ずれを防止すると共に、甲の傷みを抑えた箏柱を提供する。【解決手段】一対の脚部２０−３が甲と接触し、弦支持部２０−１が甲上に張り渡された弦を支持し、弦支持部２０−１が弦を支持する位置により音程を調節する箏柱２０であって、脚部２０−３の底面にそれぞれ形成された凹部３０と、凹部３０に貼り付けられ、平面サイズが凹部３０の平面サイズより小さく、厚さが凹部３０の深さより厚く、脚部２０−３が箏の甲に配置されると厚さが凹部３０の深さに等しくなるような弾性部材３１と、を備えたことを特徴とする。【選択図】図５
0003209035.tif 000002
【実用新案登録請求の範囲】
【請求項１】
一対の脚部が甲と接触し、弦支持部が前記甲上に張り渡された弦を支持し、前記弦支持部が前記弦を支持する位置により音程を調節する箏柱であって、
前記脚部の底面にそれぞれ形成された凹部と、
前記凹部に貼り付けられ、平面サイズが前記凹部の平面サイズより小さく、厚さが前記凹部の深さより厚く、前記脚部が箏の甲に配置されると前記厚さが前記凹部の深さに等しくなるような弾性部材と、を備えたことを特徴とする箏柱。
【請求項２】
前記弾性部材の材質は、シリコーンゴムであることを特徴とする請求項１記載の箏柱。
【請求項３】
前記凹部の平面形状は矩形であり、前記弾性部材の平面形状は前記凹部の平面形状と相似形であることを特徴とする請求項１または２記載の箏柱。
【請求項４】
前記弾性部材の形状は半球状であることを特徴とする請求項１または２記載の箏柱。
【考案の詳細な説明】
【技術分野】
【０００１】
本考案は、箏(こと)の胴の上に立てて弦を支え、その位置によって音程を調節する箏柱（ことじ）に関する。
【背景技術】
【０００２】
図１は、箏2及び箏奏者1を示す外観斜視図であり、図２は、図１に示した箏奏者が箏爪を装着した状態を示す図である。
【０００３】
箏2は、箏奏者1の右手の親指1a、人差し指1b、及び中指1cにそれぞれ箏爪Pa、Pb、Pcを装着し、左手の親指1d、人差し指1e、及び中指1fにもそれぞれ箏爪Pd、Pe、Pfを装着し、箏2の龍頭12が箏奏者1の右側になるように正座して演奏されるようになっている。尚、図では箏爪Pa〜Pfが丸型の場合が示されているが、箏爪Pa〜Pfの形状は角型であってもよい。
【０００４】
図３（ａ）は、図１に示した箏2の平面図であり、図３（ｂ）は、図３（ａ）の正面図であり、図３（ｃ）は、図３（ａ）の底面図であり、図３（ｄ）は、図３（ａ）の右側面図である。尚、図３（ｄ）において箏柱及び弦は省略されている。
【０００５】
箏2は、桐からなり、表面が長手方向及び短手方向に凸状に湾曲した形状を有しており、龍が磯に横たわった姿に見立てた名称が付与されている。箏2の一般的なサイズは、全長約182cm、幅約25cmであり、重さは約5.5kgである。
【０００６】
3は磯（いそ）、4は甲（こう）、5は雲角（うんかく）、6は龍角（りゅうかく）、7は龍足（りゅうそく、下足（げそく）とも言う。）、8は龍手（りゅうしゅ、猫足（ねこあし）とも言う。）、9は尾絹（おぎぬ）、11は龍尾（りゅうび）、12は龍頭（りゅうとう、口前（くちまえ）とも言う）、13,14は音穴（おんけつ）、15は箏柱、16aは一の糸（第１弦）、16bは二の糸（第２弦）、…、16ｊは十の糸（第10弦）、16kは斗（と）の糸（第11弦）、16lは為（い）の糸（第12弦）、16mは巾（きん）の糸（第13弦）である。
【０００７】
一の糸（第１弦）16a、二の糸（第２弦）16b、…、十の糸（第10弦）16j、斗（と）の糸（第11弦）16k、為（い）の糸（第12弦）16l、巾（きん）の糸（第13弦）16m（以下、弦16と表記）は、雲角5と龍頭6との間に所定の張力で張り渡されている。甲4と弦16との間には音階を決定する箏柱15が弦16と、後述する弦嵌め入れ溝15-2（図４参照。）と、が一致するように立てた状態で挿入されている。
【０００８】
図４（ａ）は、図３（ａ）、（ｂ）に示した箏柱15の平面図、図４（ｂ）は、図４（ａ）の正面図、図４（ｃ）は、図４（ａ）の底面図、図４（ｄ）は、図４（ａ）の側面図、図４（ｅ）は、図４（ａ）の外観斜視図である。
【０００９】
箏柱15は、断面Λ（ラムダ、もしくは人）字形状に形成されており、上側に弦支持部15-1を有し、下側に一対の脚部15-3を有している。弦支持部15-1の先端部には弦嵌め入れ溝15-2が形成されている。脚部15-3の底面は甲4（図３参照）の形状に合わせて傾斜面となっている。箏柱15の位置を移動させることで音程を変化させることができる。
【００１０】
ところで、この種の箏柱15を用いて箏2を箏奏者1が演奏すると、弦16のうち龍角6と箏柱15の間に各音色に応じた弦振動が発生する。この弦振動による振動エネルギーが箏柱15を弦16のうちのほとんど振動していない方向に押す力となり箏柱15が僅かに移動する。
このため、箏2を長時間演奏すると、箏柱15の移動により音階が変化してしまうことがある。
【００１１】
かかる問題点の解決を図った例として、特許文献１がある。
【先行技術文献】
【特許文献】
【００１２】
【特許文献１】実用新案登録第３１４０００２号公報
【００１３】
特許文献１に記載の考案は、箏柱に関するものであり、具体的には、和箏の胴表面に配置され音階を調節するための箏柱において、脚部底面の箏胴密着部表面に溝部を形成したものであり、箏胴との密着性を向上し演奏の安定性を確保するとともに優れた音響性を発揮できることを目的とするものである。
【考案の概要】
【考案が解決しようとする課題】
【００１４】
しかしながら、上述した特許文献１に記載の考案は、箏柱の脚部底面の密着部表面に溝部が形成されているため、甲4との接触面積が減少し、使用初期に箏柱の位置ずれが生じやすくなり、また、接触面積が減少した分だけ甲4への単位面積当たりの荷重が増加して甲4が傷みやすくなり、焼き直しの時期が早くなるおそれがある。
【００１５】
本考案は、上記課題に鑑みてなされたもので、箏柱の位置ずれを防止すると共に、甲の傷みを抑えた箏柱の提供を目的とする。
【課題を解決するための手段】
【００１６】
かかる目的を達成するために、請求項１に記載の考案は、一対の脚部が甲と接触し、弦支持部が前記甲上に張り渡された弦を支持し、前記弦支持部が前記弦を支持する位置により音程を調節する箏柱であって、前記脚部の底面にそれぞれ形成された凹部と、前記凹部に貼り付けられ、平面サイズが前記凹部の平面サイズより小さく、厚さが前記凹部の深さより厚く、前記脚部が箏の甲に配置されると前記厚さが前記凹部の深さに等しくなるような弾性部材と、を備えたことを特徴とする。
【００１７】
請求項２に記載の考案は、請求項１記載の考案に加え、前記弾性部材の材質は、シリコーンゴムであることを特徴とする。
【００１８】
請求項３に記載の考案は、請求項１または２に記載の考案に加え、前記凹部の平面形状は矩形であり、前記弾性部材の平面形状は前記凹部の平面形状と相似形であることを特徴とする。
【００１９】
請求項４に記載の考案は、請求項１または２に記載の考案に加え、前記弾性部材の形状は半球状であることを特徴とする。
【考案の効果】
【００２０】
本考案によれば、箏柱の位置ずれを防止すると共に、甲の傷みを抑えた箏柱の提供の実現が可能となる。
【図面の簡単な説明】
【００２１】
【図１】箏2及び箏奏者1を示す外観斜視図である。
【図２】図１に示した箏奏者が箏爪を装着した状態を示す図である。
【図３】（ａ）は、図１に示した箏2の平面図であり、（ｂ）は、（ａ）の正面図であり、（ｃ）は、（ａ）の底面図であり、（ｄ）は、（ａ）の右側面図である。
【図４】（ａ）は、図３（ａ）、（ｂ）に示した箏柱15の平面図、（ｂ）は、（ａ）の正面図、（ｃ）は、（ａ）の底面図、（ｄ）は、（ａ）の側面図、（ｅ）は、（ａ）の外観斜視図である。
【図５】（ａ）は、本考案に係る箏柱の一実施の形態を示す正面図であり（ｂ）は、（ａ）の底面図であり、（ｃ）、（ｅ）は、（ａ）の変形例を示す底面図であり、（ｄ）は、（ｃ）のVd−Vd線断面図である。
【図６】（ａ）は、箏2の甲4と弦16との間に箏柱20を立てる前の状態を示す概念図であり、（ｂ）は、箏2の甲4と弦16との間に箏柱20を立てた後の状態を示す概念図である。
【図７】（ａ）は図６（ａ）の拡大図であり、（ｂ）は（ａ）の拡大底面図であり、（ｃ）は図６（ｂ）拡大図であり、（ｄ）は（ｃ）の拡大底面図である。
【考案を実施するための形態】
【００２２】
＜構成＞
図５（ａ）は、本考案に係る箏柱の一実施の形態を示す正面図であり、図５（ｂ）は、図５（ａ）の底面図である。図５（ｃ）、（ｅ）は、後述する変形例を示す図５（ａ）の変形例を示す底面図であり、図５（ｄ）は、図５（ｃ）のVd−Vd線断面図である。
【００２３】
本実施形態における箏柱20と図４（ａ）〜（ｅ）に示した箏柱15との相違点は、脚20-3の底面に凹部30を形成し、凹部30内にチップ状の弾性部材31を貼り付けた点である。
【００２４】
すなわち、図５（ａ）、（ｂ）に示した箏柱20は、一対の脚部20-3が甲4と接触し、弦支持部20-1が甲4上に張り渡された弦16を支持し、弦支持部20-1が弦16を支持する位置により音程を調節する部材である。
箏柱20は、断面Λ（ラムダ、もしくは人）字形状に形成されており、上側に弦支持部20-1を有し、下側に一対の脚部20-3を有しており、脚部20-3の底面に凹部30が形成され、凹部30内に弾性部材31が接着剤で貼り付けられている。
凹部30の平面形状は矩形であり、弾性部材31の平面形状は凹部30の平面形状と相似形であるのが好ましい。
弦支持部20-1の先端部には弦嵌め入れ溝20-2が形成されている。脚部20-3の底面は甲4（図３参照）の形状に合わせて傾斜面となっている。
尚、図では箏柱20が通常の箏柱の場合を示しているが、巾柱（きんじ）の場合も同様である。
【００２５】
箏柱20の材質は、例えば、象牙、人工象牙、樹脂、もしくは木材が挙げられる。人工象牙は、例えば酢酸セルロースに珪素を添加したものである。
弾性部材31の材質は、例えば、シリコーンゴム、もしくはポリマー改良及び充填材、架橋剤等の選択による高強度シリコーンゴムが挙げられる。
【００２６】
＜作用効果＞
図６（ａ）は、箏2の甲4と弦16との間に箏柱20を立てる前の状態を示す概念図であり、図６（ｂ）は、箏2の甲4と弦16との間に箏柱20を立てた後の状態を示す概念図である。
【００２７】
通常、弦16を立てる場合、右手で弦16を数ｃｍほど引き上げた状態で左手で箏柱20を弦16と甲4との間に立てる。
箏柱20を甲4上に立てる前、箏柱20の脚部20-3の底面から弾性部材31の一部が底面より下側に露出しているが、箏柱20を甲4上に立てた後、弾性部材31は脚部20-3の底面からはみ出ることなく甲4と密着し、脚部20-3の底面も甲4と密着する。
【００２８】
図７（ａ）は図６（ａ）の拡大図であり、図７（ｂ）は図７（ａ）の拡大底面図であり、図７（ｃ）は図６（ｂ）拡大図であり、図７（ｄ）は図７（ｃ）の拡大底面図である。
【００２９】
図７（ａ）、（ｂ）において、xは箏柱20を甲4に立てる前（荷重前）の弾性部材31の横の長さを示し、yは荷重前の弾性部材31の縦の長さを示している。a1は箏柱20の脚部20-3の台形状の底面の高さを示し、b1は台形の下底を示し、b4は台形の上底を示している。a2は凹部30の横の長さを示し、b2は凹部30の縦の長さを示している。a3、b3は凹部30から脚部20-3の底面の端までの長さを示している。
d1は荷重前の弾性部材31と凹部30との間の横方向の隙間の長さを示し、d2は荷重前の弾性部材31と凹部30との間の縦方向の隙間の長さを示している。
zは凹部30の深さであり、Δzは弾性部材31の凹部30から露出する長さである（但し、自重による長さは無視する。）。
【００３０】
図７（ｃ）、（ｄ）において、x＋Δxは箏柱20を甲4に立てた後（荷重後）の弾性部材31の横の長さを示し、y＋Δyは荷重後の弾性部材31の縦の長さを示している。d1−Δｘ／2は荷重後の弾性部材31と凹部30との間の横の長さを示し、d2−Δy／2は荷重後の弾性部材31と凹部30との間の縦の隙間の長さを示している。
【００３１】
これらa1,a2,b1,b2,x,y,zの関係は以下の数式（１）〜（４）の関係を満たすのが好ましい。
a2≒a1／3                                   …（１）
b2≒b1／3                                   …（２）
x・y（z＋Δz）＜a2・b2・ｚ                  …（３）
（x＋Δx）・（y＋Δｙ）・ｚ＜a2・b2・z      …（４）
但し、x・y（z＋Δz）≒a2・b2・ｚ
また、弾性部材31の引張り強度は、例えば7.5MPa以上あればよい。
【００３２】
ここで、木と木との間の静止摩擦係数は0.417と言われており、木とゴムとの間の静止摩擦係数は0.588と言われている。従って、箏柱20と甲4との間の摩擦係数は、弾性部材31を用いることで増加することが自明である。
【００３３】
すなわち、一対の脚部20-3の底面にそれぞれ形成された凹部30と、凹部30に貼り付けられ、平面サイズが凹部30の平面サイズより小さく、厚さが凹部30の深さより厚く、脚部20-3が箏2の甲4に配置されると厚さが凹部30の深さに等しくなるような弾性部材31とを備えることにより、摩擦係数が増加し、箏柱20の甲4での位置ずれを防止すると共に、甲4の傷みを抑えることができる。
【００３４】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【００３５】
例えば、上述した実施の形態では、箏柱が通常の形状の場合で説明したが、本考案はこれに限定されるものではなく、「巾柱（きんじ）」、「小柱（こじ）」、「二段小柱（にだんこじ）」、「三段小柱（さんだんこじ）」に適用してもよい。
＜変形例＞
【００３６】
さらに、弾性部材の形状は上述した実施形態のようなチップ状に限定されるものではなく図５（ｄ）に示すような半球状であってもよい。但し、この場合には筝柱20を甲4上に配置したときに凹部30から弾性部材31がはみ出ず、かつ弾性部材31が甲4を押圧するように構成することは言うまでもない。
尚、凹部30の平面形状は、図５（ｃ）に示すような矩形状だけでなく、図５（ｅ）に示すような円形状であってもよい。また、弾性部材31や凹部30の数は限定されるものではない。
【符号の説明】
【００３７】
１    箏奏者
２    箏
３    磯
４    甲
５    雲角
６    龍角
７    龍足（下足）
８    龍手（猫足）
９    尾絹
１１    龍尾
１２    龍頭（口前）
１３、１４    音穴
１５、２０    箏柱
１５−１、２０−１    弦支持部
１５−２、２０−２    弦嵌め入れ溝
１５−３、２０−３    脚部
１６    弦
３０    凹部
３１    弾性部材
【図１】
0003209035.tif 000003
【図２】
0003209035.tif 000004
【図３】
0003209035.tif 000005
【図４】
0003209035.tif 000006
【図５】
0003209035.tif 000007
【図６】
0003209035.tif 000008
【図７】
0003209035.tif 000009